(57)【要約】【課題】ゴミ等がチェーンに落下・侵入せず、また、ゴミ等が搬送用プレート間に挟まることなく、載置部である搬送用プレートの上面をフラットに保ち、耐荷重性と耐久性と保全性を向上させるスラット式コンベアの提供を図る。【解決手段】スプロケットホイールと複数のローラチェーンと搬送用プレート（スラット）とからなるスラット式コンベアであって、搬送用プレートは、所要長さ・幅・厚みを有する上板（第１の長板）と該上板と略同幅であって所要長さ・厚みを有する底板（第２の長板）から成り、該上板及び底板を広面方向に重ねると共に幅方向にずらして固定された形状であり、底板における上板側の広面の露出部は、カス受け部であり、底板は、上板よりもローラチェーンに近く配置されているという構成を採用した。【選択図】図１
2018034922.tif 000002
【特許請求の範囲】
【請求項１】
スプロケットホイールと複数のローラチェーンと搬送用プレート（スラット）とからなるスラット式コンベアであって、
前記搬送用プレートは、所要長さ・幅・厚みを有する上板（第１の長板）と該上板と略同幅であって所要長さ・厚みを有する底板（第２の長板）から成り、該上板及び底板を広面方向に重ねると共に幅方向にずらして固定された形状であり、
前記底板における前記上板側の広面の露出部は、カス受け部であり、
前記底板は、前記上板よりもローラチェーンに近く配置されていることを特徴とするスラット式コンベア。
【請求項２】
前記上板及び底板は、長手方向の端部から起立した側面部（エプロン部）を持つことを特徴とする請求項１に記載のスラット式コンベア。
【請求項３】
前記上板の幅方向の端面の少なくとも一方に、傾斜部を持つことを特徴とする請求項１又は請求項２に記載のスラット式コンベア。
【請求項４】
前記スプロケットホイールの回転によって、前記搬送用プレートが前記チェーンコンベアの上面側から底面側に移動する際、前記カス受け部は前記搬送用プレートの上方に位置していることを特徴とする請求項１から請求項３のいずれかに記載のスラット式コンベア。
【請求項５】
前記上板と前記底板の重ね量は、該上板及び底板の幅の略半分であることを特徴とする請求項１から請求項４のいずれかに記載のスラット式コンベア。
【請求項６】
前記上板と前記底板は前記ローラチェーンに供締めされていることを特徴とする請求項１から請求項５のいずれかに記載のスラット式コンベア。
【請求項７】
前記上板の角部の曲率半径は、前記底板の角部の曲率半径よりも大きいことを特徴とする請求項２から請求項６のいずれかに記載のスラット式コンベア。
【発明の詳細な説明】
【技術分野】
【０００１】
本発明は、スラット式コンベアに関し、詳しくは、スラットコンベアやエプロンコンベアといったスラット式コンベアにおいて、運搬物そのものや該運搬物からのゴミ等がスラット間に挟まったり、チェーンに落下・侵入したりすることで、コンベアが停止してしまうことを防止すると共に、運搬物の打痕を軽減し、さらに、コンベアの耐荷重性及び耐久性を向上させる技術に関するものである。
【背景技術】
【０００２】
プレスのスクラップや工作機械の切粉・粉状チップ、鍛造品・鋳造品、及びそのバリ等、産業廃棄物などの搬送に使用されるコンベヤとして、スラットコンベアやエプロンコンベアといったスラット式コンベアが一般的に用いられている。その理由は、ベルトコンベアよりも剛性、耐熱性、耐久性等が高いからである。
高温の鍛造品・鋳造品等を搬送する場合には、コンベアの表面の平坦度が重要である。表面に凹凸があると、搬送物がコンベアに乗り移る際、打痕がついてしまう可能性があるからである。
また、工作機械の切粉等を搬送する際は、細かなチップ片が搬送用プレートの隙間から落下しないような構造として、チップ片がローラチェーン等に付着することを防ぐ構造が重要である。
さらに、主に次工程への自動搬送等を目的に、コンベア上で搬送物を一時的に停滞できる構造も必要となる。
【０００３】
ところで、鍛造品・鋳造品等を搬送する際であっても、細かなチップ片が発生することがあり、その際、チップ片が搬送用プレートの間に挟まったり、その隙間から落下したりすることによるチェーンへの噛み込み、チェーン・スプロケットの寿命低下が問題となっていた。
また、鍛造品・鋳造品等の搬送に際しては、より重量のある運搬物も扱える必要もあった。
そのため、ゴミ等がコンベア内部に落下せず、載置部である搬送用プレートの上面をフラットに保ち、且つ、耐荷重性を向上させる構造が求められていた。
【０００４】
このような問題に対して、従来からも様々な技術が提案されている。例えば、エプロンコンベアにおけるエプロン底板の重なり合い部の隙間への搬送物の侵入を抑制する構造（特許文献１参照）が提案され、公知技術となっている。より詳しくは、エプロンの底板の重なり合い部で下側に重なる底板の上面に、重なり合い部に近接してエプロンの幅方向に延び、重なり合い部の上下の隙間よりも高く形成した突条を設けることにより、この突条で隙間の開口を塞いで搬送物を隙間に入り難くし、相対傾動する底板の重なり合い部での搬送物の噛み込みを防止して、エプロンコンベアを円滑に運転できるようにしたものである。
【０００５】
かかる構造によって、ゴミ等のチェーンへの落下を防止することは可能となる。しかしながら、プレートの上面に突起を設けることから、その突起により運搬物に打痕がつき変形のおそれがあり、また、コンベア上に搬送物を停滞させることができないため、前記問題の解決には至っていない。
【０００６】
また、エプロン体及びローラチェーンの交換を容易に行うようにすると共に、安価でしかも交換時に無駄な労力を省くことが出来る構造（特許文献２参照）が提案され、公知技術となっている。より詳しくは、前後両端に、隣接する端部と対応させて、交互に噛合させる軸受環部を設けた単位エプロン体を噛合位置で連結管によって連結させてエプロン帯を成形し、このエプロン帯の左右両側にはローラチェーンを平行に配し、更にローラチェーンの一方側のローラチェーンのブッシュから軸を挿入し、この軸をエプロン帯の各単位エプロン体に設けた噛合する軸受環部の連結管を通して他端側のローラチェーンのブッシュに挿入してローラチェーンをエプロン体の連結管の端部の両端に設けた抜止め防止機構間の軸で保持させた構成ヒンジ構造によって、コンベアのメンテ負担を軽減する構造である。
【０００７】
かかる構造によれば、軸受環部が上面に突出しているため、載置部をフラットに保つことが不可能であると共に、隣接する軸受環部の間からゴミの落下が発生する構造であるため、やはり前記問題の解決には至っていない。
【０００８】
さらに、プレート板の互いの連結状態が簡易な構造で、プレート板の連結箇所に金属チップや油等による目詰まりを生じさせない技術（特許文献３参照）が提案され、公知技術となっている。より詳しくは、各プレート板は、連結方向の一方の断面が凹状の凹部とされ、連結方向の他方の断面が凸状の凸部とされ、任意の一のプレート板とその前のプレート板とは、任意の一のプレート板の一方の凹部の中にその前のプレート板の他方の凸部が回転し得る状態で配されている構造である。
【０００９】
かかる構造によって、プレート板同士の端部を重ね、重ね部分が、スプロケットホイール付近で隙間が出来ない構造となるので、ゴミ等がチェーンに落下・侵入することを防止することが可能となる。しかしながら、プレート板の連結部に凸部をもつことから、載置部をフラットに保つことが出来ず、該凸部により運搬物に打痕がつき変形のおそれがあり、また、コンベア上に搬送物を停滞させることができないため、前記問題の解決には至っていない。
【先行技術文献】
【特許文献】
【００１０】
【特許文献１】特開２００２−２８４３２６号公報
【特許文献２】実開平６−５３５２６号公報
【特許文献３】特開２００４−６７３６３号公報
【発明の概要】
【発明が解決しようとする課題】
【００１１】
本発明は、上記問題点に鑑み、ゴミ等がプレート間に挟まらないと共にチェーンに落下せず、載置部である搬送用プレートの上面をフラットに保ち、耐荷重性と耐久性と保全性に優れたスラット式コンベアを提供することを課題とするものである。
【課題を解決するための手段】
【００１２】
上記課題を解決するため、本発明は、一般的なスプロケットホイールと一般的な複数のローラチェーンと搬送用プレート（スラット）とからなるスラット式コンベアであって、搬送用プレートは、所要長さ・幅・厚みを有する上板（第１の長板）と該上板と略同幅であって所要長さ・厚みを有する底板（第２の長板）から成り、該上板及び底板を広面方向に重ねると共に幅方向にずらして固定された形状であり、底板における上板側の広面の露出部は、カス受け部であり、底板は、上板よりもローラチェーンに近く配置されている手段を採る。
【００１３】
また、本発明は、前記上板及び底板が、長手方向の端部から起立した側面部（エプロン部）を持つ手段を採用し得る。
【００１４】
さらに、本発明は、前記上板の幅方向の端面の少なくとも一方に、傾斜部を持つ手段を採用し得る。
【００１５】
またさらに、本発明は、スプロケットホイールの回転によって、前記搬送用プレートがチェーンコンベアの上面側から底面側に移動する際、前記カス受け部は搬送用プレートの上方に位置している手段を採用し得る。
【００１６】
さらにまた、本発明は、前記上板と底板の重ね量は、該上板及び底板の幅の略半分である手段を採用し得る。
【００１７】
そしてまた、本発明は、前記上板と底板がローラチェーンに供締めされている手段を採用し得る。
【００１８】
そしてさらに、本発明は、前記上板の角部の曲率半径は、前記底板の角部の曲率半径よりも大きい手段を採用し得る。
【発明の効果】
【００１９】
本発明に係るスラット式コンベアによれば、簡単な構造で、載置部である搬送用プレートの上面を平坦に保ちつつ、ゴミの噛み込み・落下・侵入を防ぎ、上板と底板の二重構造を採用して重量のある運搬物を扱えると共に搬送用プレート自体の歪みを抑制し、運搬性能の向上とコンベアのメンテナンス負担の軽減、扱う運搬物の拡大を同時に実現することができる、といった優れた効果を発揮するものである。
また、本発明に係るスラット式コンベアによれば、載置部である搬送用プレートの上面が平坦であるため、コンベア上に運搬物を一時的に停滞させても経時的変形のおそれがなく、次工程への自動搬送等の用途に有用である、といった優れた効果を発揮するものである。
【図面の簡単な説明】
【００２０】
【図１】本発明に係るスラット式コンベアの実施形態を示す分解図である。
【図２】本発明に係るスラット式コンベアにおける搬送用プレートの実施形態を示す構造図である。
【図３】本発明に係るスラット式コンベアの実施形態を示す全体図である。
【図４】本発明に係るスラット式コンベアの動作を示す動作説明図である。
【図５】本発明に係るスラット式コンベアにおける搬送用プレートの他の実施形態を示す構造図である。
【図６】本発明に係るスラット式コンベアの他の実施形態を示す全体部である。
【図７】本発明に係るスラット式コンベアにおける搬送用プレートの角の構造を示す説明図である。
【発明を実施するための形態】
【００２１】
本発明に係るスラット式コンベアは、搬送用プレート（スラット）が、所要長さ・幅・厚みを有する上板（第１の長板）と該上板と略同幅であって所要長さ・厚みを有する底板（第２の長板）から成り、該上板及び底板を広面方向に重ねると共に幅方向にずらして固定された形状であり、底板における上板側の広面の露出部は、カス受け部であり、底板は、前記上板よりもローラチェーンに近く配置されている構成を採用することで、ゴミ等がチェーンに落下せず、載置部である搬送用プレートの上面をフラットに保ち、耐荷重性と耐久性と保全性を向上させたことを最大の特徴とする。
以下、本発明に係るスラット式コンベアの実施形態を、図面に基づいて説明する。
【００２２】
なお、本発明に係るスラット式コンベアの全体形状及び各部の形状は、下記に述べる実施例に限定されるものではなく、本発明の技術的思想の範囲内、即ち、同一の作用効果を発揮できる形状や寸法等の範囲内で、適宜変更することができるものである。
【実施例１】
【００２３】
図１から図４に従って、本発明を説明する。
図１乃至図４は、本発明に係るスラット式コンベアの実施形態を示しており、図１は分解図、図２は搬送用プレートの構造図、図３は全体図、図４は動作説明図である。
また、図２（ａ）は搬送用プレートを構成する部品を説明する図、図２（ｂ）は搬送用プレートの斜視図、図２（ｃ）は搬送用プレートの三面図、図２（ｄ）は搬送用プレートをローラチェーンに乗せた際の断面図である。
また、図３（ａ）乃至（ｃ）は、夫々、本発明に係るスラット式コンベアの側面、上面、正面から見た模式図である。
【００２４】
スラット式コンベア１は、鍛造品・鋳造品等を搬送するコンベアであり、一般にスラットコンベアやエプロンコンベアと言われるものが存在する。その構成態様について、大きくは、搬送用プレート１００とローラチェーン２００とスプロケットホイール３００類から構成されている。
【００２５】
搬送用プレート１００（以下、スラットともいう）は、本発明の重要な構成物であり、鍛造品・鋳造品等を載置する部分である。材質は、鉄、アルミ、ステンレス等である。いずれの材質でも、載置するものの重量を十分支えられる厚さが必要である。搬送用プレート１００は、上板１１０（以下、第１の長板ともいう）と底板１２０（以下、第２の長板ともいう）から構成されている。上板１１０と底板１２０は、長板状であり、大きさは、ほぼ同じである。上板１１０、底板１２０の長手方向の長さは、概ね、コンベアの幅の寸法である。幅は、概ね、ローラチェーン２００のリンクプレート２１０の長さ程度である。
【００２６】
上板１１０には、長手方向の両端付近に、座繰り付き孔１４０が設けられている。上板１１０をボルト３２０とその先端部に螺合されるナット３３０によってローラチェーン２００の連結部２４０と固定するための孔である。上板１１０の上面を平坦にするために、ボルト３２０は皿ボルトであり、ナット３３０にはボルト３２０に対応するネジが切られている。上板１１０の孔は、座繰り付き孔１４０としている。座繰り付き孔１４０は、通し孔である。
【００２７】
底板１２０には、長手方向の両端付近に、座繰り付き孔１４０及び孔１５０が設けられている。座繰り付き孔１４０は、底板１２０をボルト３２０とその先端部に螺合されるナット３３０によってローラチェーン２００の連結部２４０と固定するための孔である。孔１５０は、上板１１０、底板１２０をボルト３２０によってローラチェーン２００の連結部２４０と固定するための孔である。孔１５０は、上板１１０、底板１２０を固定した際、上板１１０の座繰り付き孔１４０の直下になる位置に設けられている。座繰り付き孔１４０、孔１５０とも通し孔である。座繰り付き孔１４０、孔１５０は、上板１１０、底板１２０の両端部に１つずつでも良いし、ローラチェーン２００の連結部２４０の構造によっては、複数あっても良い。
【００２８】
上板１１０と底板１２０は、幅方向にずらして固定される。固定は、溶接、カシメ、ネジ止め等いずれでも良いが、固定作業の容易さ、経年変化の少なさ等から溶接が好適である。上板１１０と底板１２０は、幅方向にずらした状態で固定する（図２（ｂ））。底板１２０の上板１１０側の広面の露出部は、カス受け部１３０である。カス受け部１３０は、運搬物等から発生したゴミ、チップ等を受け、ローラチェーン２００に落ちないようにするものである。
【００２９】
上板１１０と底板１２０のずらし量は、概ね、上板１１０、底板１２０の幅の半分程度であると好適である。ずらし量が少ないと、カス受け部１３０の大きさを十分確保できず、逆にずらし量が大きすぎると、上板１１０と底板１２０の接触部分が減少し、搬送用プレート１００の強度が弱くなるからである。
【００３０】
ローラチェーン２００は、一般的なスラット式コンベアで使用されるものである。ローラ２２０を挟む形でリンクプレート２１０が配置され、隣接するリンクプレート２１０をピン２３０によって回転可能に固定し、環状の構成としたものである。ローラチェーン２００は、スラット式コンベア１の幅方向の両側に配置されている。リンクプレート２１０には、連結部２４０が配置され、連結部２４０によって搬送用プレート１００と固定される。連結部２４０にはボルト３２０の先端部を挿通可能な貫通孔２５０があり、かかるボルト３２０の先端部にナット３３０が螺合されることで、搬送用プレート１００がリンクプレート２１０に固定される。
【００３１】
スプロケットホイール３００は、ローラチェーン２００の位置を規制し、ローラチェーン２００をスラット式コンベア１の長手方向にスムーズに移動させるための歯車である。スプロケットホイール３００には、ローラチェーン２００のリンクプレート２１０に対応する歯が構成されており、歯によって、ローラチェーン２００を移動させる。軸受３１０は、スプロケットホイール３００を支持するものである。スプロケットホイール３００によって、ローラチェーン２００が移動、回転する際、チップ片Ｔ等が搬送用プレート１００から落ち、ローラチェーン２００とスプロケットホイール３００の間に侵入すると、ローラチェーン２００とスプロケットホイール３００の接触が均等で無くなり、スプロケットホイール３００の負荷が増えたり、ローラチェーン２００の移動回転がスムーズで無くなったりして、コンベアが異常停止する。そのため、チップ片Ｔ等のコンベア内部への落下・侵入を防ぐ必要がある。
【００３２】
図１と図３に沿って、スラット式コンベア１の構造を説明する。ローラチェーン２００は、スラット式コンベア１の幅方向の両側に配置されている。搬送用プレート１００は、カス受け部１３０が同じ方向を向いた形で、配置される。１つの搬送用プレート１００は、１つの連結部２４０に対応する。搬送用プレート１００同士は、上板１１０と隣接する搬送用プレート１００の底板１２０が重なる形で配置される。搬送用プレート１００と連結部２４０は、ボルト３２０とその先端部に螺合されるナット３３０により固定される。連結部２４０の２つの貫通孔２５０に対して、一方は、底板１２０のみがねじ止めされ、他方は、上板１１０と底板１２０が供締めされる。上板１１０と底板１２０を供締めすることによって、上板１１０・底板１２０間の強度をより強くすることが出来る。
【００３３】
図１の例では、内側のリンクプレート２１０のみ連結部２４０を持つ例を示したが、内側、外側ともリンクプレート２１０が連結部２４０を持つ形でもよい。その際は、搬送用プレート１００もそれに応じて、座繰り付き孔１４０が増えることになる。連結部２４０が増えることによって、ローラチェーン２００と搬送用プレート１００の固定強度が増し、耐久性を増すことが出来る。
【００３４】
図３に、スラット式コンベア１の模式図を示す。スプロケットホイール３００とローラチェーン２００と搬送用プレート１００の関係を示す（図３（ａ））。ローラチェーン２００はスプロケットホイール３００に連動して動き、ローラチェーン２００に固定された搬送用プレート１００も同様に動く。スプロケットホイール３００から離れた位置では、搬送用プレート１００同士が、直線的に並ぶため、搬送用プレート１００の上面はフラットである。図３（ｂ）及び（ｃ）で、搬送用プレート１００とローラチェーン２００とスプロケットホイール３００、軸受３１０の関係を示す。搬送用プレート１００は、両端でローラチェーン２００に固定されるので、載置物に見合う剛性が必要である。
【００３５】
図２（ｄ）と図４に沿って、チップ片Ｔの落下防止構造について説明する。スラット式コンベア１上で、平坦部分での搬送用プレート１００同士のレイアウトを図２（ｄ）に示す。搬送用プレート１００同士は、隣接する上板１１０と底板１２０が重なりあう構造である。搬送用プレート１００の上面をフラットにするためには、搬送用プレート１００同士の隙間が無いほうが理想である。しかし、ローラチェーン２００の各リンクプレート２１０間の遊び等によって、搬送用プレート１００同士の隙間が生じ、窪みＤが発生する。そのため、チップ片Ｔが窪みＤに落ちる。カス受け部１３０が無かった場合には、そのまま、ローラチェーン２００の上に落下することになる。本発明では、カス受け部１３０があるので、チップ片Ｔはカス受け部１３０が受けた状態で、コンベアが動いていく。
【００３６】
図４にチップ片Ｔの挙動を示す。チップ片Ｔは、スプロケットホイール３００付近に入ると、スプロケットホイール３００に沿った回転する動きとなる。搬送用プレート１００は徐々に回転し、Ｂの位置までは、チップ片Ｔをカス受け部１３０で保持する。その後、Ｃの位置で、搬送用プレート１００が逆さになるため、チップ片Ｔは、スラット式コンベア１外に落下する。そのため、チップ片Ｔがローラチェーン２００、スプロケットホイール３００内に落下することは無い。
このように、スプロケットホイール３００の回転によって、搬送用プレート１００がローラチェーン２００の上面側から底面側に移動する際、カス受け部１３０は搬送用プレート１００の上方に位置していることによって、カス受け部１３０の機能をより効果的にすることが出来る。
【００３７】
以上の通り、本発明によれば、簡単な構造で、載置部である搬送用プレートの上面を平坦に保ちつつ、ゴミのコンベア内への落下を防ぎ、重量のある運搬物を扱えるので、運搬性能の向上とコンベアのメンテナンス負担の軽減、扱う運搬物の拡大を同時に実現することができるものである。
【実施例２】
【００３８】
他の実施形態について、図２を用いて説明する。上記実施例１と同様の部分は省略する。実施例１において、窪みＤにチップ片Ｔが落ちても、カス受け部１３０で受けるため、チップ片Ｔがコンベア内部に落下するのを防止できることを説明した。そこで、搬送用プレート１００の回転に合わせて、カス受け部１３０で受けたチップ片Ｔを完全且つ有効にスラット式コンベア１外に排除する態様が必要となる。しかしながら、むやみに窪みＤを大きくする構造とすると、搬送用プレート１００の上面の平坦度が損なわれ、コンベアの性能劣化につながる。
【００３９】
そこで、上板１１０の幅方向の端面の少なくとも一方に傾斜部１６０を設けることによって、カス受け部１３０上のチップ片Ｔが該傾斜部１６０を滑落しつつスラット式コンベア１外に安全且つ有効に排除され、プレート間（窪みＤ）におけるチップ片Ｔの噛み込み防止が図れることとなる。具体的には、図２（ｅ）又は（ｆ）に示す構造であり、そのうち図２（ｅ）では、上板１１０の幅方向における進行方向側の端部に、傾斜部１６０を設ける構造を採用した場合について示している。
【００４０】
これに対し、図２（ｆ）は、上板１１０の幅方向における進行方向と反対側の端部に、傾斜部１６０を設ける構造を採用した場合について示している。この構造によって、搬送用プレート１００の回転に合わせて、カス受け部１３０に存するチップ片Ｔが傾斜部１６０を滑落しつつスラット式コンベア１外に完全且つ有効に排除され、プレート間（窪みＤ）におけるチップ片Ｔの噛み込み防止が図られる、といった効果を発揮し得ることとなる。
なお、図２（ｅ）と（ｆ）に示す傾斜部１６０を同時に設けることで、チップ片Ｔの排除効果はさらに高くなる。
【００４１】
このように、傾斜部１６０を設けることによって、スラット式コンベア１外へのチップ片Ｔの落下を積極的に排除することが出来、コンベアの性能を向上させることが出来る。
【実施例３】
【００４２】
他の実施形態について、図５を用いて説明する。上記実施例１乃至２と同様の部分は省略する。実施例１において、長板状の搬送用プレート１００の形状を説明したが、パン構造としても良い。図５は、本発明に係るスラット式コンベア１における搬送用プレート１００の他の実施形態を示す構造図である。また図６は、本発明に係る搬送用プレート１００の他の実施形態を示す全体図である。
【００４３】
上板１１０、底板１２０の長手方向の端部に起立した側面部１７０（以下、エプロン部ともいう）を設けることで、パン構造とすることが出来る。側面部１７０の位置は、上板１１０の側面部１７０の位置が、底板１２０の側面部１７０の位置よりも底板１２０の厚さ分内側に配置されると、上板１１０、底板１２０を固定する際、隙間が生じず、好適である。また、上板１１０の側面部１７０の高さは、底板１２０の側面部１７０の高さよりも底板１２０の厚さ分短いと、上板１１０、底板１２０を固定する際、側面部１７０の上端が揃い、溶接等する際に好適である。側面部１７０を設けた際の斜視図を図５（ｂ）に、三面図を図５（ｃ）に示す。また、ローラチェーン２００に固定した際のレイアウトを図５（ｄ）に示す。さらに、側面部１７０を設けた搬送用プレート１００によるスラット式コンベア１の模式図を図６に示す。
【００４４】
このような構造を採ることによって、側面部１７０が両端に１枚のみの構造に比べて、側面部１７０及び搬送用プレート１００の強度を増すことが出来るので好適である。また、側面についても、隙間が無くなるので、チップ片Ｔの飛び散りを防ぐことが出来るので好適である。
【実施例４】
【００４５】
他の実施形態について、図７を用いて説明する。上記実施例１乃至３と同様の部分は省略する。実施例３において、上板１１０、底板１２０の長手方向の端部に起立した側面部１７０（エプロン部）を設けることで、パン構造とする態様について説明したが、かかる側面部１７０を設ける際の手法によって、強度上の問題が生じ得る。
【００４６】
すなわち、上板１１０、底板１２０の夫々に側面部１７０を設ける場合において、板厚が大きい場合など、溶接やボルト締め等によって側面部１７０を起立した状態で接続する方法が考え得るが、かかる方法によれば、該側面部１７０の強度が落ちるといった問題があった。
【００４７】
そこで、少なくとも上板１１０について、長手方向の端部に曲げ加工を施すことで起立した側面部１７０を設ける方法を採ることが望ましい。かかる方法を採用することにより、上記した溶接やボルト締め等による方法に比し、側面部１７０を含む上板１１０全体の強度向上に資することとなる。かかる曲げ加工を行うことで、上板角部１８０は、図７に示すように、自然と曲状に丸みがもたらされる。
このとき、上板角部１８０の曲率半径が底板角部１９０の曲率半径より小さいと、上板１１０と底板１２０を広面方向に重ねて固定する際に、上板角部１８０が底板角部１９０に当接した状態で上板１１０と底板１２０の間に隙間が生じてしまい、両者の固定が不可となってしまう。したがって、図７に示すように、上板角部１８０の曲率半径を大きくして角に丸みを持たせ、底板角部１９０の曲率半径を小さくして角を急峻に起立させることで、曲げ加工による強度向上を図りつつ、上板１１０と底板１２０との固定を確実なものとすることが出来るものである。
【産業上の利用可能性】
【００４８】
本発明に係るスラット式コンベア１は、運搬物からのゴミ等がチェーンに落下・侵入することを防止し、運搬物の打痕を軽減し、コンベアの耐荷重性と耐久性と保全性を向上させる技術であって、用途・運搬物に関係なく、スラットコンベアやエプロンコンベアなどあらゆるスラット式コンベアに採用することができるため、本発明の産業上の利用可能性は大きいと思料される。
【符号の説明】
【００４９】
１    エプロンコンベア
１００    搬送用プレート（スラット）
１１０    上板（第１の長板）
１２０    底板（第２の長板）
１３０    カス受け部
１４０    座繰り付き孔
１５０    孔
１６０    傾斜部
１７０    側面部（エプロン部）
１８０    上板角部
１９０    底板角部 
２００    ローラチェーン
２１０    リンクプレート
２２０    ローラ
２３０    ピン
２４０    連結部
２５０    貫通孔
３００    スプロケットホイール
３１０    軸受
３２０    ボルト
３３０    ナット
Ｄ    窪み
Ｔ    チップ片
【図１】
2018034922.tif 000003
【図２】
2018034922.tif 000004
【図３】
2018034922.tif 000005
【図４】
2018034922.tif 000006
【図５】
2018034922.tif 000007
【図６】
2018034922.tif 000008
【図７】
2018034922.tif 000009